(57)【要約】【課題】  大規模空気調和機の引き戸型のパネル型エアフィルターパネルを着脱が容易にし、仕切り板との間に隙間を無くした取り付け装置を提供する。【解決手段】  左右方向に進退する空気調和機のパネル型エアフィルターの取付装置において、パネル型エアフィルターの上下端位置するフィルターをガイドするガイドレールを仕切機構に設け、ガイドレールの奥側にはパネル型エアフィルターを挿入した際には、パネル型エアフィルターの進入先頭端をガイドレールの仕切板側の壁面に自動的に押し付けて固定するガイド機構を設け、 パネル型エアフィルターの手前側におけるガイドレールの他方の壁面には、パネル型エアフィルターに対して上下端に延びるスライド押さえ金具を設け、スライド押さえ金具はパネル型フィルターを仕切機構及びガイドレールの壁面に対して押し圧し密着固定する固定機構を設けた空気調和機のパネル型エアフィルターの取付装置。【選択図】図７
2018038967.tif 000002
【特許請求の範囲】
【請求項１】
左右方向に進退する空気調和機のフィルター室の仕切機構にパネル型エアフィルターを取り付けるフィルタ取付装置において、
パネル型エアフィルターの上下端位置するフィルターをガイドするガイドレールを前記仕切機構に設け、
該ガイドレールの奥側にはパネル型エアフィルターを挿入した際には、パネル型エアフィルターの進入先頭端をガイドレールの仕切板側の壁面に自動的に押し付けて固定するガイド機構を設け、
パネル型エアフィルターの手前側におけるガイドレールの他方の壁面には、パネル型エアフィルターに対して上下端に延びるスライド押さえ金具を設け、
該スライド押さえ金具はパネル型フィルターを前記仕切機構及びガイドレールの壁面に対して押し圧し密着固定する固定機構を設けたことを特徴とする空気調和機のエアフィルター取付装置。
【請求項２】
前記エアフィルター取付装置において、
前記ガイドレールの手前側と奥側の中間位置に、上下端に延びるスライド押さえ金具を設け、該スライド押さえ金具はパネル型フィルターを前記仕切機構及びガイドレールの壁面に対して押し圧し密着固定する前記固定機構を設けたことを特徴とする請求項１に記載の空気調和機のエアフィルター取付装置。
【請求項３】
前記エアフィルター取付装置において、
前記ガイドレールの手前側と奥側の中間位置に設けたスライド押さえ金具は、パネル型フィルターの継ぎ目を覆うように設けたことを特徴とする請求項２に記載の空気調和機のエアフィルター取付装置。
【請求項４】
前記ガイド機構は、奥側のガイド溝の巾がパネル型フィルターの溝巾と同じとしたガイド、及び／又は、奥側の壁面側にパネル型フィルターを前記仕切機構及びガイドレールの壁面に対して押し圧するようにガイドするガイド部材を設けたことを特徴とする請求項１から３に記載から選択された空気調和機のエアフィルター取付装置。
【発明の詳細な説明】
【技術分野】
【０００１】
本発明は、空気調和機のパネル型エアフィルターの取り付け装置に関し、特に、簡単に着脱ができるパネル型エアフィルターの取り付け装置に関する。
【背景技術】
【０００２】
従来、大規模空気調和機には大型のエアフィルターが使用されるが、この大型のエアフィルターを着脱し交換や清掃することは、大型であるため空気調和機の点検扉を開いて作業員が空気調和機の奥まで入って着脱作業をしなければならず、やっかいな作業であった。
このため、特許文献１に開示されるように、複数枚のフィルターをジグザグ状に配列して、メンテナンスが容易にできるようしたフィルター装置が提案されているが、構成が複雑になってしまうという問題点があった。
また、 特許文献２に開示されるように、エアフィルターの着脱に伴う作業スペースの狭小化と装脱作業の容易化を図った空気調和装置が提案されており、空気調和装置の通風経路中に設けられるエアフィルターを装脱方向に分割された複数のフィルター部材で構成し、複数のフィルター部材間にはこれら相互を連結・離脱可能とする連結・離脱機構Ｘを設ける。かかる構成とすることで、エアフィルターがその長さ方向に一体構成とされている場合に比して、エアフィルターの装脱時におけるケーシングの前方側及び上方側への延出量が小さくなり、エアフィルターの装脱時の作業スペースの狭小化が図られ、容易に装脱することができ、その作業性がより一層向上するものが開示されているが、空気が上下に通過する縦型の空気調和機であるため、多くの空気が横方向に通過する横型の空気調和機には不向きであると言った問題点があった。
【０００３】
ところで、空気が横方向に通過する横型の空気調和機には、図１に示すように、パネル型エアフィルターＡが、上下左右の各２枚の計４枚のフィルターａ,ｂ,ｃ,ｄからなる場合は、ガイドレールＥも上下２段ｅ１,ｅ２に分割して設置する必要があり、パネル型エアフィルターを挿入後は、図２に示すように、固定枠ｆ１,f２で固定して最後に点検扉側から押さえ金具ｇを挿入して固定する必要があった。この場合に、押さえ金具ｇにより複数のパネル型エアフィルターａ,ｂ,ｃ,ｄの左右方向の固定は十分に可能であったが、上下方向、前後方向へパネル型エアフィルターの固定が弱く、パネル型エアフィルターが動く場合があり、パネル型エアフィルターが動いた場合に、仕切り板ｈの間に隙間が出来てリークし、塵埃が機内に進入するといった不具合があった。また、パネル型エアフィルターを脱離する場合も空調機内の奥まで入って逆工程の作業をする必要があった。
【先行技術文献】
【特許文献】
【０００４】
【特許文献１】特開２００４−１３６２２２号公報
【特許文献２】特開平１１−３０４２３５号公報
【発明の開示】
【発明が解決しようとする課題】
【０００５】
本願発明は、上記の問題点に鑑みてなされたもので、比較的大型の大規模空気調和機の引き戸型のパネル型エアフィルターパネルの着脱を容易とするとともに、仕切り板との間に隙間を無くし塵埃の機内への進入を防止する空気調和機のパネル型エアフィルターの取り付け装置を提供することにある。
【課題を解決するための手段】
【０００６】
上記課題を解決するために、請求項１の発明は、左右方向に進退する空気調和機のフィルター室の仕切機構にパネル型エアフィルターを取り付けるフィルタ取付装置において、パネル型エアフィルターの上下端位置するフィルターをガイドするガイドレールを前記仕切機構に設け、該ガイドレールの奥側にはパネル型エアフィルターを挿入した際には、パネル型エアフィルターの進入先頭端をガイドレールの仕切板側の壁面に自動的に押し付けて固定するガイド機構を設け、パネル型エアフィルターの手前側におけるガイドレールの他方の壁面には、パネル型エアフィルターに対して上下端に延びるスライド押さえ金具を設け、該スライド押さえ金具はパネル型フィルターを前記仕切機構及びガイドレールの壁面に対して押し圧し密着固定する固定機構を設けたことを特徴とする空気調和機のエアフィルター取付装置である。
【０００７】
請求項２の発明は、請求項１に記載の空気調和機のエアフィルター取付装置において、前記ガイドレールの手前側と奥側の中間位置に、上下端に延びるスライド押さえ金具を設け、該スライド押さえ金具はパネル型フィルターを前記仕切機構及びガイドレールの壁面に対して押し圧し密着固定する前記固定機構を設けたことを特徴とする。
請求項３の発明は、請求項２に記載の空気調和機のエアフィルター取付装置において、前記ガイドレールの手前側と奥側の中間位置に設けたスライド押さえ金具は、パネル型フィルターの継ぎ目を覆うように設けたことを特徴とする。
請求項４の発明は、請求項１から３に記載から選択された空気調和機のエアフィルター取付装置において、前記ガイド機構は、奥側のガイド溝の巾がパネル型フィルターの溝巾と同じとしたガイド、及び／又は、奥側の壁面側にパネル型フィルターを前記仕切機構及びガイドレールの壁面に対して押し圧するようにガイドするガイド部材を設けたことを特徴とする。
【発明の効果】
【０００８】
請求項１の空気調和機のパネル型エアフィルターの取り付け装置によれば、パネル型エアフィルターの進入先頭端を仕切り板に設けたガイドレールの壁側に自動的に押し付けるガイド機構を設けたので、パネル型エアフィルターの手前側の他方の壁側には、パネル型エアフィルターの上下端に延びる押え枠を設け、該押え枠はパネル型フィルターを一方の枠体に対して上下端の固定機構により、簡単に押し圧し密着固定させることができ、また、外すことも逆の手順で行えばきわめて簡単な手順で、仕切り板との間に隙間を無くし塵埃の機内への進入を防止することができ、保守等にフィルターを着脱する際に、点検扉から機内の奥まで入る必要がなく、点検扉の手前側の上下の固定機構を操作すればよい。
【０００９】
また、請求項２の空気調和機のパネル型エアフィルターの取り付け装置によれば、パネル型エアフィルターの手前側と奥側の中間位置に押し圧して密着固定する固定機構を上下端に設けたので、この固定機構を操作するだけで、簡単により確実に仕切り板及びガイドレールの一方の壁面に密着固定することができる。複数、例えば４枚のフィルターの場合では、手前の上下の２箇所の固定機構と、中間位置まで入って上下の２箇所の固定機構の計４箇所の固定機構を操作すればよい。
【００１０】
請求項３の空気調和機のパネル型エアフィルターの取り付け装置によれば、複数のパネル型エアフィルターを組み合わせる構成であっては、パネル型エアフィルターの手前側と奥側の中間位置に設けた押え枠は、パネル型フィルターの継ぎ目を覆うように設けたので、継ぎ目の隙間は完全に塞がれる。
また、パネル型エアフィルターは上下に複数として押さえ枠により、上下パネル型エアフィルターを密着固定すれば、従来の上下の継ぎ目に用いた中間フィルターレールを不要となる。
【００１１】
請求項４の空気調和機のパネル型エアフィルターの取り付け装置によれば、ガイド機構は、奥側のガイド溝の巾がパネル型フィルターの溝巾と同じか、及び／又は、奥側の壁面にパネル型フィルターの奥側を壁面に所定に固定するガイド部材を設けたことで、確実にパネル型エアフィルターの進入先頭端を仕切り板に設けたガイドレールの壁側に自動的に押し付けることができる。パネル型エアフィルターの点検扉の手前、或いは中間位置の固定機構を操作することで簡単に固定、或いは、脱離することができる。
【図面の簡単な説明】
【００１２】
【図１】従来の４枚のパネル型エアフィルターを上下のガイドレールに着脱する手順を説明する説明図、
【図２】図１を上下のガイドレールに挿入した状態を説明する説明図、
【図３】実施例の空気調和機内に４枚のエアフィルターを装着する状態の平面図、
【図４】実施例の仕切機構と固定機構、パネル型エアフィルターの全体の関係を示す説明図、
【図５】図５(ａ)は実施例の下段のガイドレールと奥側ガイド機構とパネル型エアフィルターとの関係を示す平面図、図５(ｂ)は別の実施例の下段のガイドレールと奥部近傍箇所の奥側ガイド機構とパネル型エアフィルターとの関係を示す平面図、図５(ｃ)は更に別の実施例の外枠内壁面と外枠ガイド機構との関係を示す平面図、
【図６】実施例のパネル型エアフィルターの仕切機構に組み込んだ状態を示す説明図、
【図７】図７(ａ)は図６での実施例の下段のガイドレールとパネル型エアフィルターを挿入した状態の平面図、図７(ｂ)は(ａ)の状態から、固定機構によってパネル型エアフィルターとのフィルター室の仕切機構に密着固定した関係を示す平面図、
【図８】図６のスライド押さえ金具に沿った縦断面図である。
【発明を実施するための最良の形態】
【００１３】
本発明の空気調和機のパネル型エアフィルターの取り付け装置について図面に沿って説明する。
［実施例１］
本発明のパネル型エアフィルターの取り付け装置の実施例は、上下２段、左右２枚の計４枚のパネル型エアフィルターの場合で説明する。
図３は、標準的な大規模の空気調和機１の平面図で、上流からフィルター室２、コイル室３、送風室４の順で配置され、フィルター室２には、戸外からの外気ＯＡを外気取入口２１から、室内からの還気ＲＡを還気取入口２２から取り入れ、フィルター５で微細なゴミを取り除き、清浄な空気はコイル室３のコイル３１で熱交換器され、加湿器３２等で空気調和された空気は、送風室４のファン４２によって給気ＳＡの給気供給口４１から居室等に送風される。
図３のフィルター室２において、パネル型エアフィルター５は点検扉２３から、保守点検や交換のために着脱するが、このため、コイル室３とフィルター室２と仕切る垂直矩形枠の仕切り機構６が設けられ、その上下左右に取付枠６１が設けられ、これら取付枠６１にはパネル型エアフィルター５を引き戸のように左右方向にガイドするガイドレール６２が設けられる(図４参照)。そして、パネル型エアフィルター５をガイドレール６２に装着した後に、仕切り板６１に押し付けて密着固定する固定機構８によって固定する。
【００１４】
このパネル型エアフィルター５と固定機構８との関係を図４から８に沿って更に詳細に説明する。
図４に示すように、仕切り機構６の上下には、４枚のパネル型エアフィルター５ａ，５ｂ，５ｃ，５ｄを組み合わせて大きな１枚のパネル型エアフィルター５を構成し、左右方向にガイドするガイドレール６２ａ，６２ｂが設けられ、このガイドレール６２ａ，６２ｂにガイドされて、図６のように挿入される。
ガイドレール６２ａ，６２ｂの奥側にパネル型エアフィルター５を挿入した際には、パネル型エアフィルター５ｂ,５ｃの進入先頭端５３をガイドレールの仕切機構６及びガイドレール６２の仕切部側の壁面部６２２に対して奥側ガイド機構６３、及び、外枠ガイド機構７３によって押し圧するようにガイドし、固定機構８によって密着固定する。
【００１５】
ここで、奥側ガイド機構６３、外枠ガイド機構７３を図５で説明する。ガイド機構の意味は、パネル型エアフィルター５ｂ,５ｃの進入先頭端５３をガイドレールの仕切機構６及びガイドレール６２の仕切部側の壁面部６２２に密着せせる機構のことであり、図４の実施例でのガイド機構としては、ガイドレール６２については図５(ａ)に示する機構である奥側ガイド機構６３であリ、したがって、その構成はガイドレール６２ａ,６２ｂ、溝部６２１、仕切部側の壁面部６２２、外側の壁面部(傾斜するガイド板)６２３から構成されるものであり、空気調和機１の外枠内壁面７については図５（ｃ）に示す機構である外枠ガイド機構７３であり、ガイド部材７２や斜行面７２１である。なお、図５(ｂ)に示す機構でのガイド機構は、図５(ａ)とほぼ同様であるが、ガイドレール６２ａ,６２ｂの外側の壁面部６２３の形状が全体が斜行するのではなく、ガイドレール６２の奥側近傍の急激に狭まる斜行面６２４によってガイドする形状である。
【００１６】
ここで、奥側ガイド機構６３は、仕切り機構６の上下端のガイドレール６２の奥側末端に配置されたもので、ガイドレール６２ａ，６２ｂの溝部６２１の両側は垂直の浅い仕切部側の壁面部６２２と、外側の壁面部６２３とが形成され、パネル型フィルター５の上下端の水平外枠部５１（５１ａ，５１ｂ）をガイドする。
図５(ａ)のガイド作用を説明するが、図５のガイドレール６２ａ，６２ｂの点検扉２３(図３参照)側の溝部６２１の巾はｘ１であり、奥側の溝部６２１の巾ｘ２は、パネル型フィルターａの溝巾と同じ巾であるｘ２としたものでｘ１＞ｘ２ であり、徐々に狭くしている。すなわち、上下のガイドレール６２ａ，６２ｂの外側の外側の壁面部６２３は奥側で狭くなる傾斜するガイド板を形成している。
したがって、パネル型フィルター５は、点検扉２３の溝部６２１の巾はｘ１と広くしたので容易に挿入しやすく、パネル型エアフィルターパネル型エアフィルター５を挿入すると、奥側の進入先頭端５３では仕切り壁面８及び上下のガイドレール６２の仕切部側の壁面部６２２に自動的に押し付けるようにガイドされる。
【００１７】
また、図５(ｂ)は、上段のガイドレール６２ａ，下段のガイドレール６２ｂにおける点検扉２３(図３参照)側の溝部６２１の巾はｘ１であり、奥側の溝部６２１の巾ｘ２は、パネル型フィルターａの溝巾と同じ巾であるｘ２とした ｘ１＞ｘ２ であるが、奥側近傍の斜行面６２４によって急激に狭める形状である。したがって、点検扉２３の溝部６２１の巾はｘ１と広くしたので奥まで容易に挿入しやすく、しかも、奥側では仕切り壁面８及び上下のガイドレール６２の仕切部側の壁面部６２２に自動的に押し付けるようにガイドされる。
図５(ｃ)のガイド作用を説明するが、ガイドレール６２ではなく、パネル型フィルター５の奥側を空気調和機１の外枠内壁面７の所定箇所に、外枠ガイド機構７３である斜行面７２１を有するガイド部材７２が設けられている。この場合に、パネル型エアフィルター５の奥側の進入先頭端５３は、外枠ガイド機構７３であるガイド部材７２の斜行面７２１に沿って矢印方向にガイドされ所定の位置に固定される。
したがって、ガイドレール６２に奥側ガイド機構６３が無くても、自動的に奥側では仕切機構６の取付枠６１の取付け面６１１及び上下のガイドレール６２の仕切部側の壁面部６２２に自動的に押し付けるようにガイドされる。
【００１８】
上述したように、パネル型エアフィルター５の５ｂ,５ｃの進入先頭端５３が、奥側ガイド機構６３単独又は外枠ガイド機構７３単独、或いは、これらのガイド機構の組み合わせにより、自動的に所定位置にガイドされると、図６に示すように、手前、及び中間位置の固定機構８を操作することで固定する。逆に、脱離するが、これを図６、図７で説明する。
固定機構８は、パネル型エアフィルター５を仕切機構６の取付枠６１の取付け面６１１及び上下のガイドレール６２の仕切部側の壁面部６２２に固定するもので、図６に示すように、主に、操作頭部８５１を回動することにより、スライド押さえ金具６２でパネル型エアフィルター５を押し圧して固定するものである。
具体的には、ガイドレール６２の手前側と、手前側と奥側の中間位置とに、上下端に延びる手前スライド押さえ金具８１a、及び、中間スライド押さえ金具８１ｂを設ける。図７(a)(ｂ)は、ガイドレール６２の上下端の水平方向の断面図であるが、スライド押さえ金具８１はパネル型フィルター５を仕切機構６及びガイドレール６２の仕切部側の壁面部６２２に対して押し圧し密着固定する。なお、図７(a)(ｂ)で、外枠内壁面７の外枠ガイド機構７３は上下の中間位置に配置するが、参考のために図示した。
【００１９】
このスライド押さえ金具８１は、フィルター室２との仕切機構６の取付枠６１に取り付けられた上下端に延びる固定枠８２を設け、この断面コ字状の固定枠８２の底部には固定雌ネジ８３が設けられ、固定枠８２の外側に断面コ字状のスライド押さえ金具８１の押圧部８１１を固定雌ネジ８３に対して操作頭部８５１を回動することにより、押圧雄ネジ８５の先端部８５２で押圧して、仕切機構６の取付け面６１１及びガイドレール６２の仕切部側の壁面部６２２に対して押し圧し密着固定する。なお、符号８２１は固定枠８２の断面コ字形状を維持するための補強金具である。
また、スライド押さえ金具８１を設けたことにより、パネル型エアフィルター５が上下方向に２段以上あっても、確実に仕切機構６の取付け面６１１及びガイドレール６２の仕切部側の壁面部６２２に対して押し圧し密着固定することが可能であるので、従来のように、各段毎に設けたガイドレールは不要なり、最上段の溝部６２１の下向きの両壁面部６２２、６２３と、最下段の上向きの壁面部６２２、６２３の２つのガイドレール６２さえあればよい。
【００２０】
図８は、図６、図７の側断面図であるが、パネル型エアフィルター５は４枚のパネル型エアフィルター５ａ,５ｂ,５ｃ,５ｄからなり、それぞれが、空気の上流側からプレフィルター５４、メインフィルター５５、各フィルターの外枠部５１に沿った矩形のガスケット(パッキン)５６が積み重ねられている。このパネル型エアフィルター５の垂直外枠部５１ｃ、５１ｄを仕切機構６の取付け面６１１にガスケット６を介して押し付ける。この固定機構８であるスライド押さえ金具８１は、上段の下向きガイドレール６２ａと、下段の上向きガイドレール６２ｂの間に挿入されたパネル型エアフィルター５を、パネル型エアフィルター５の手前の垂直外枠部５１ｃにそって設けられた手前スライド押さえ金具８１ａと、中間の垂直外枠部５１ｄに沿って設けられた中間スライド押さえ金具８１ｂとを、上下端の押圧雄ネジ８５の操作頭部８５１を回動し、先端部８５２によって押し圧することによって密着固定する。
このように、押圧雄ネジ８５を操作頭部８５１を回動することによりスライド押さえ金具８１及びパネル型エアフィルター５を押し圧し締め付けるが、スライド押さえ金具８１を仕切機構６の取付け面６１１等に押し付けるのであれば、ネジ以外のカム機構等でも良いことは勿論である。
【００２１】
本発明のパネル型エアフィルターの取り付け装置の実施例によれば、固定するガイド機構を設けたので、パネル型エアフィルターの進入先頭端を仕切り板に設けたガイドレールの壁側に自動的に押し付けることができ、パネル型エアフィルターの手前側の他方の壁側には、パネル型エアフィルターの上下端に延びる押え枠を設け、該押え枠はパネル型フィルターを一方の枠体に対して上下端の固定機構により、簡単に押し圧し密着固定させることができ、また、外すことも逆の手順で行えばきわめて簡単な手順で、仕切り板との間に隙間を無くし塵埃の機内への進入を防止することができ、保守等にフィルターを着脱する際に、点検扉から機内の奥まで入る必要がなく、手前の上下の固定機構を操作すればよい。
パネル型エアフィルターの手前側と奥側の中間位置に押し圧して密着固定する固定機構を上下端に設けたので、この固定機構を操作するだけで、簡単により確実に仕切り板及びガイドレールの一方の壁面に密着固定することができる。複数、例えば４枚のフィルターの場合では、手前の上下の２箇所の固定機構と、中間位置まで入って上下の２箇所の固定機構の計４箇所の固定機構を操作すればよい。
【００２２】
複数のパネル型エアフィルターを組み合わせる構成では、パネル型エアフィルターの手前側と奥側の中間位置に設けた押え枠は、パネル型フィルターの継ぎ目を覆うように設けたので、継ぎ目の隙間は完全に塞がれる。
また、パネル型エアフィルターは上下に複数として押さえ枠により、上下パネル型エアフィルターを密着固定すれば、従来の上下の継ぎ目に用いた中間フィルターレールを不要となる。
前記ガイド機構は、奥側のガイド溝の巾がパネル型フィルターの溝巾と同じか、及び／又は、奥側の壁面にパネル型フィルターの奥側を壁面に所定に固定するガイド部材を設けたことで、確実にパネル型エアフィルターの進入先頭端を仕切り板に設けたガイドレールの壁側に自動的に押し付けることができる。手前、或いは中間位置の固定機構を操作することで簡単に固定、或いは、脱離することができる
【００２３】
なお、本発明の特徴を損うものでなければ、上記の実施例に限定されるものでないことは勿論であり、例えば、本実施例では、左右方向に２列の複数のパネル型エアフィルター５として、中間スライド押さえ金具８１ｂを設けた他が、１枚或いは１列のパネル型エアフィルターの場合には、中間スライド押さえ金具８１ｂは不要であり、手前スライド押さえ金具８１ａだけで良い。逆に、２列以上の３列、４列等のパネル型エアフィルター５の場合は、その継ぎ目に対応して中間スライド押さえ金具８１ｂを複数設ければよい。
【符号の説明】
【００２４】
１・・空気調和機、２・・フィルター室、２１・・外気取入口、
２２・・還気取入口、２３・・点検扉、
３・・コイル室、３１・・コイル、３２・・加湿器、
４・・送風室、４１・・給気供給口、４２・・ファン
５,５ａ,５ｂ,５ｃ,５ｄ・・パネル型エアフィルター、
５１・・外枠部、５１ａ,５１ｂ・・水平外枠部、
５１ｃ,５１ｄ・・垂直外枠部、５３・・進入先頭端、
５４・・プレフィルター、５５・・メインフィルター、
５６・・ガスケット(パッキン)、
６・・仕切機構、６１・・取付枠、６１１・・取付け面、
６２,６２ａ,６２ｂ・・ガイドレール、
６２１・・溝部、６２２・・仕切部側の壁面部、６２３・・  外側の壁面部、
６２４・・斜行面、６３・・奥側ガイド機構、
７・・外枠内壁面、７２・・ガイド部材、７２１・・斜行面
７３・・外枠ガイド機構、
８・・固定機構、８１・・スライド押さえ金具、
８１ａ・・手前スライド押さえ金具、８１ｂ・・中間スライド押さえ金具、
８１１・・押圧部
８２・・固定枠、８２１・・補強金具、８３・・固定雌ネジ、
８５・・押圧雄ネジ、８５１・・操作頭部、８５２・・先端部
【図１】
2018038967.tif 000003
【図２】
2018038967.tif 000004
【図３】
2018038967.tif 000005
【図４】
2018038967.tif 000006
【図５】
2018038967.tif 000007
【図６】
2018038967.tif 000008
【図７】
2018038967.tif 000009
【図８】
2018038967.tif 000010